(57)【要約】【課題】バリウム飲用後に水洗トイレでバリウム入りの便を排便しても水洗トイレを詰まらせることなく処理することができるポケット載便シートを提供すること。【解決手段】ポケット載便シート１０は、洋式水洗トイレの貯水部の表面積よりも大きい四角形状に形成され、便が載置されても便を水に流すまでの間は破れずその後に溶解する水溶性を有する載便シート１１と、載便シート１１が内部に複数枚収容され、表面に載便シート１１のミシン目１３が一方向に伸びて形成される直方体形状の柔軟な収納容器１２と、を備え、収納容器１２の縦方向及び横方向の寸法が、載便シート１１の縦方向及び横方向の寸法よりもそれぞれ小さく形成され、載便シート１１が折り畳まれて収納容器１２内に収容されている。【選択図】図１
2017031764.tif 000002
【特許請求の範囲】
【請求項１】
洋式水洗トイレの貯水部の表面積よりも大きい四角形状に形成され、便が載置されても前記便を水に流すまでの間は破れずその後に溶解する水溶性を有する載便シートと、
該載便シートが内部に複数枚収容され、表面に前記載便シートの取出口が一方向に伸びて形成される直方体形状の柔軟な収納容器と、
を備え、
該収納容器の縦方向及び横方向の寸法が、前記載便シートの縦方向及び横方向の寸法よりもそれぞれ小さく形成され、
前記載便シートが折り畳まれて前記収納容器内に収容されているポケット載便シート。
【請求項２】
折り畳まれた前記載便シートの一部と隣接する別の載便シートの一部とが重なり合うことなく各載便シートが互いに独立して前記収納容器内に収容されている請求項１に記載のポケット載便シート。
【請求項３】
前記載便シートの折目の少なくとも一部の方向と前記取出口の伸びる方向とが略一致して前記載便シートが収容されている請求項１又は２に記載のポケット載便シート。
【請求項４】
前記載便シートの表面が白色以外に彩色されている請求項１から３の何れか一つに記載のポケット載便シート。
【請求項５】
文字又は図が表示されたシートが同封され、又は、前記収納容器の表面に前記文字又は前記図が表示されている請求項１から４の何れか一つに記載のポケット載便シート。
【請求項６】
前記載便シートの表面に凹凸が形成されている請求項１から５の何れか一つに記載のポケット載便シート。
【発明の詳細な説明】
【技術分野】
【０００１】
本発明は、ポケット載便シートに関する。
【背景技術】
【０００２】
胃のレントゲン写真を撮影する際には、バリウムを飲用することが多い。この際、撮影後にバリウムを速やかに体外に排出させるために、検査後に下剤を飲用する。
【０００３】
ただし、バリウムは水よりも重く、水洗トイレで用を足した際、便器の底に沈んでしまう。また、粘着性を有するために便器の底面に貼り付いてしまうと水を流しても便器に残ってしまい、後始末が大変になることがある。
【０００４】
そこで、排泄したバリウムが直接便器に触れないように、トイレットペーパーを便器の底面に敷き、その上に便を載置させ、その状態のまま水で流すことが行われる。
【発明の概要】
【発明が解決しようとする課題】
【０００５】
しかしながら、トイレットペーパーは水に溶けやすいため、枚数が少ないと水を流す前にトイレットペーパーが溶けてしまって所望の効果が得られないことがある。一方、枚数が多いと、今度はトイレットペーパーによってトイレの排水口が詰まってしまうことがある。
【０００６】
本発明は上記事情に鑑みて成されたものであり、バリウム飲用後に水洗トイレでバリウム入りの便を排便しても水洗トイレを詰まらせることなく処理することができるポケット載便シートを提供することを目的とする。
【課題を解決するための手段】
【０００７】
本発明は、上記課題を解決するため、以下の手段を採用する。
本発明に係るポケット載便シートは、洋式水洗トイレの貯水部の表面積よりも大きい四角形状に形成され、便が載置されても前記便を水に流すまでの間は破れずその後に溶解する水溶性を有する載便シートと、該載便シートが内部に複数枚収容され、表面に前記載便シートの取出口が一方向に伸びて形成される直方体形状の柔軟な収納容器と、を備え、該収納容器の縦方向及び横方向の寸法が、前記載便シートの縦方向及び横方向の寸法よりもそれぞれ小さく形成され、前記載便シートが折り畳まれて前記収納容器内に収容されている。
【０００８】
また、本発明に係るポケット載便シートは、折り畳まれた前記載便シートの一部と隣接する別の載便シートの一部とが重なり合うことなく各載便シートが互いに独立して前記収納容器内に収容されているのが好ましい。
【０００９】
さらに、本発明に係るポケット載便シートは、前記載便シートの折目の少なくとも一部の方向と前記取出口の伸びる方向とが略一致して前記載便シートが収容されているのが好ましい。
【００１０】
また、本発明に係るポケット載便シートは、前記載便シートの表面に凹凸が形成されているのが好ましい。
【００１１】
また、本発明に係るポケット載便シートは、文字又は図が表示されたシートが同封され、又は、前記収納容器の表面に前記文字又は前記図が表示されているのが好ましい。
【発明の効果】
【００１２】
本発明によれば、バリウム飲用後に水洗トイレでバリウム入りの便を排便しても水洗トイレを詰まらせることなく処理することができる。
【図面の簡単な説明】
【００１３】
【図１】本発明の一実施形態に係るポケット載便シートのミシン目側を示す斜視図である。
【図２】本発明の一実施形態に係るポケット載便シートの載便シートをトイレにて広げて使用する状態を示す概要図である。
【図３】本発明の一実施形態に係る載便シートの折り畳まれた状態を示す斜視図である。
【図４】本発明の別の実施形態に係るポケット載便シートを示す斜視図である。
【発明を実施するための形態】
【００１４】
本発明に係る一の実施形態について、図１から図３を参照して説明する。
本実施形態に係るポケット載便シート１０は、図１に示すように、載便シート１１と、それら載便シート１１を複数枚収容する収納容器１２と、を備えている。
【００１５】
載便シート１１は、例えば、長手方向を有する矩形状に形成され、図２に示すように、水洗トイレＴの貯水部Ｗの表面積よりも大きい形状に形成されている。載便シート１１は、トイレットペーパーとは異なり、不図示の便が載置されても便を水に流すまでの間は破れず、その後水に溶解するのに好適な水溶性バインダー又は水膨潤性バインダーを含有する実質的に水分散可能な坪量を有する、例えば、検便時に使用される栄研化学株式会社製の採便シート（ｈｔｔｐ：／／ｗｗｗ．ｅｉｋｅｎ．ｃｏ．ｊｐ／ｔｅｃｈｎｉｑｕｅ／ｅｓ／ｐｄｆ／ｅｓ１７ｃ．ｐｄｆ）やイトマン株式会社製の採便シート（ｈｔｔｐ：／／ｉｔｅｍ．ｒａｋｕｔｅｎ．ｃｏ．ｊｐ／ｉｔｏｍａｎ／ｉ−ｓｅａｔ１０ｐ／）を使用する。
【００１６】
載便シート１１の表面は、バリウムの状態がわかりやすいように黒色に彩色されている。なお、載便シート１１の表面がエンボス加工されていてもよい。
【００１７】
収納容器１２は、図１に示すように、略四角形状の表面の中央部分にミシン目（取出口）１３が一方向に伸びて配されている。なお、開封可能なものであれば、ミシン目１３でなくても構わない。
【００１８】
収納容器１２の基材は、例えば、ポリエチレンフィルム、ポリプロピレンフィルム、ポリエチレンテレフタレートフィルム、ポリビニルアルコールフィルム、ポリスチレンフィルム、エチレン−ビニルアルコール共重合体フィルムといった、熱融着可能な樹脂フィルムや紙によって形成されている。
【００１９】
この収納容器１２には、５〜６枚の載便シート１１が折り畳まれて内部に収容されるとともにこれらを携帯可能とするために、縦方向及び横方向の寸法が、載便シート１１の縦方向及び横方向の寸法よりもそれぞれ小さく形成されている。なお、収容される載便シート１１の枚数は、通常バリウム検査後も２〜３日はバリウムを含む便が出るが、少量のバリウムはさらに１〜２日出る場合があり、また下痢になった場合など考慮して５〜６枚としているが、これに限らない。携帯用として１０枚以下が好ましい。
【００２０】
各載便シート１１は、図３に示すように、山谷交互に折り返されて直線状の折目Ｌが形成された状態で折り畳まれている。なお、収納容器１２から取り出しやすく、かつ、収納容器１２よりも大きい表面を有する載便シート１１を折り畳んで収納するための折り方であれば、図示のような折り方でなくてもよい。
【００２１】
折り畳まれた載便シート１１は、折目Ｌとミシン目１３の伸びる方向とが略一致した状態にて収納容器１２内に収容されている。この際、各載便シート１１は、一般的なティッシュペーパーのような収納形態とは異なり、互いに重なり合う部分がないように独立して収納されているのが好ましい。
【００２２】
なお、ミシン目１３の位置は、収納容器１２に収容した際に載便シート１１の表面部分に形成された折目Ｌとミシン目１３とが略一致するような位置であれば中央部分に限らない。
【００２３】
次に、本実施形態に係るポケット載便シート１０の使用方法を通して、その作用効果を説明する。
【００２４】
まず、バリウム飲用後に外出先の水洗トイレでバリウム入りの便を排便する前に、ポケット載便シート１０のミシン目１３を開裂し、ここから収納容器１２内に指を挿入して、最上部の載便シート１１を摘み、内部から載便シート１１を１枚外部に引き出す。この際、水洗トイレの貯水部Ｗに事前に適当な枚数のトイレットペーパーを敷いておいても構わない。
【００２５】
載便シート１１を貯水部Ｗ上のトイレットペーパーに載置した状態で、載便シート１１上に排便する。排便された便は、載便シート１１上に留まったまま水流によって貯水部Ｗ内に流される。
【００２６】
このポケット載便シート１０によれば、バリウム飲用後に水洗トイレでバリウム入りの便を排便しても水洗トイレを詰まらせることなく用を足すことができ、後始末が楽になる。しかも、載便シート１１が携帯可能な収納容器１２内に収容されているので、家庭内だけでなく、外出先の水洗トイレにも使用でき、トイレを詰まらせることができない場面に好適である。
【００２７】
また、折り畳まれた各載便シート１１の一部が互いに折り重なり合うことなく互いに独立して収納容器１２内に収容されている。そのため、通常、載便シート１１の使用枚数は１枚で十分なので、１枚取り出した後、収納容器１２から次の載便シート１１が飛び出さない状態で携帯し続けることができる。
【００２８】
さらに、載便シート１１の折目Ｌとミシン目１３とが略一致して載便シート１１が収容されているので、載便シート１１をミシン目１３からすぐに取出しやすくなっている。
【００２９】
また、載便シート１１の表面が黒色に彩色されている。バリウムは白色のため、載便シート１１に載置された便の状態が一目でわかる。
【００３０】
また、載便シート１１がエンボス加工されていることにより、表面に凹凸が形成される。そのため、収納容器１２からより取出しやすくなるとともに、粉状のバリウムが載便シート１１上に残りやすくなり、スムーズに処理することができる。
【００３１】
なお、本発明の技術範囲は上記実施の形態に限定されるものではなく、本発明の趣旨を逸脱しない範囲において種々の変更を加えることが可能である。
【００３２】
例えば、図４に示すように、収納容器１２のミシン目１３のない表面側には、使用方法や健康に関する文字又は図からなる広告Ｐなどが表示されたシート１４が同封されているポケット載便シート１５としても構わない。又は、収納容器１２の表面に広告Ｐ等が直接印刷されていても構わない。これにより、広告料をポケット載便シート１５の製造費用や頒布費用として利用することができる。
【００３３】
また、載便シート１１の表面の色は黒色に限らず、バリウムの白色と区別できる白色以外の紫色や茶色のような濃い色であっても構わない。
【００３４】
さらに、載便シート１１がエンボス加工されていてもよいとしているが、エンボス加工に限らず、表面に凹凸が形成される他の加工でも構わない。
【符号の説明】
【００３５】
１０、１５  ポケット載便シート
１１  載便シート
１２  収納容器
１３  ミシン目（取出口）
【図１】
2017031764.tif 000003
【図２】
2017031764.tif 000004
【図３】
2017031764.tif 000005
【図４】
2017031764.tif 000006